(57)【要約】【課題】通信端末の所有者が番号情報を通知したい相手先に通知したり、通知したくない相手先に通知しないようにできるようにする。【解決手段】登録端末とセンター装置３とを備え、通信端末の電話番号およびメールアドレスの少なくとも一方からなる番号情報の変更を通知する番号情報変更通知システムにおいて、センター装置３は、通信回線を介して番号情報の変更および通知条件を受信するネットワークインタフェース３３および電話回線インタフェース３４と、受信された番号情報の変更および通知条件をを記憶するデータ記録部３２と、第三者の端末装置の番号情報と第三者の端末装置より発信された変更前の番号情報とを検出したときに、データ記録部３２に記憶された通知条件を参照して第三者の端末装置に変更後の番号情報を通知する制御を行う制御部３１とを有する。【選択図】        図２
2004173129.tif 000002
【特許請求の範囲】
【請求項１】
登録端末とセンター装置とを備え、通信端末の電話番号およびメールアドレスの少なくとも一方からなる番号情報の変更を通知する番号情報変更通知システムであって、
前記登録端末は、
自己の通信端末の変更前の番号情報、変更後の番号情報および通知先の番号情報を入力する入力手段と、
変更後の番号情報を第三者に通知する際の通知条件を設定する設定手段と、
前記入力手段に入力された変更前の番号情報、変更後の番号情報、通知先の番号情報及び前記通知条件を通信回線を介して送信する送信手段とを備え、
前記センター装置は、
前記通信回線を介して前記変更前の番号情報、前記変更後の番号情報、前記通知先の番号情報および前記通知条件を受信する番号情報・通知条件受信手段と、
前記番号情報・通知条件受信手段によって受信された前記変更前の番号情報、前記変更後の番号情報、前記通知先の番号情報および前記通知条件を記憶する記憶手段と、
第三者の端末装置の番号情報と前記第三者の端末装置より発信された前記変更前の番号情報とを検出する番号情報検出手段と、
前記番号情報検出手段によって前記変更前の番号情報と前記第三者の番号情報とを検出したときに、前記記憶手段に記憶された通知条件を参照して前記第三者の端末装置に変更後の番号情報を通知する制御を行う通知制御手段と
を備えたことを特徴とする通信端末の番号情報変更通知システム。
【請求項２】
前記通知条件は、
不特定の相手先に変更後の番号情報を通知する第１の通知条件と、
特定の相手先に変更後の番号情報を通知する第２の通知条件とを含んでなり、
前記通知制御手段は、
前記番号情報検出手段によって前記変更前の番号情報と前記第三者の番号情報とを検出したときに、前記記憶手段に記憶された第１または第２の通知条件を参照して前記第三者の端末装置に変更後の番号情報を通知する制御を行う
ことを特徴とする請求項１記載の通信端末の番号情報変更通知システム。
【請求項３】
前記通知条件は、
特定の相手先に変更後の番号情報を通知するとともに、特定の相手先でない相手先については変更後の番号情報を通知するか否かの確認を行う第３の通知条件と、
不特定の相手先について変更後の番号情報を通知するか否かの確認を行う第４の通知条件とを含んでなり、
前記センター装置は、
自己の通信端末から通知許可信号または通知不許可信号を受信する通知許可／不許可信号受信手段を有し、
前記通知制御手段は、
前記第３または第４の通知条件が設定されたときに、前記番号情報検出手段によって検出された特定の相手先でない前記第三者の番号情報を自己の通信端末に転送し、前記通知許可／不許可信号受信手段によって通知許可信号を受信したときに、前記記憶手段に記憶された変更後の番号情報を前記第三者の通信端末に通知する
ことを特徴とする請求項１または２記載の番号情報変更通知システム。
【請求項４】
前記番号情報がメールアドレスからなる場合に、前記通知制御手段は、前記設定手段により第２または第３の通知条件が設定されたときに、前記メールアドレスを特定の相手先に一斉に通知する
ことを特徴とする請求項２または３記載の通信端末の番号情報変更通知システム。
【請求項５】
自己の通信端末の変更前の電話番号およびメールアドレスの少なくとも一方からなる番号情報、変更後の前記番号情報、通知先の番号情報および変更後の番号情報を第三者に通知する際の通知条件を受信する番号情報・通知条件受信手段と、
前記番号情報・通知条件受信手段によって受信された変更前の番号情報、変更後の番号情報、通知先の番号情報および前記通知条件を記憶する記憶手段と、
第三者の端末装置の番号情報と前記第三者の端末装置より発信された前記変更前の番号情報とを検出する番号情報検出手段と、
前記番号情報検出手段によって前記変更前の番号情報と前記第三者の番号情報とを検出したときに、前記記憶手段に記憶された通知条件を参照して前記第三者の端末装置に変更後の番号情報を通知する制御を行う通知制御手段と
を備えたことを特徴とするセンター装置。
【請求項６】
前記通知条件は、
不特定の相手先に変更後の番号情報を通知する第１の通知条件と、
特定の相手先に変更後の番号情報を通知する第２の通知条件とを含んでなり、
前記通知制御手段は、
前記番号情報検出手段によって前記変更前の番号情報と前記第三者の番号情報とを検出したときに、前記記憶手段に記憶された第１または第２の通知条件を参照して前記第三者の端末装置に変更後の番号情報を通知する制御を行う
ことを特徴とする請求項５記載のセンター装置。
【請求項７】
前記通知条件は、
特定の相手先に変更後の番号情報を通知するとともに、特定の相手先でない相手先については変更後の番号情報を通知するか否かの確認を行う第３の通知条件と、
不特定の相手先について変更後の番号情報を通知するか否かの確認を行う第４の通知条件とを含んでなり、
自己の通信端末から通知許可信号または通知不許可信号を受信する通知許可／不許可信号受信手段を設け、
前記通知制御手段は、
前記第３または第４の通知条件が設定されたときに、前記番号情報検出手段によって検出された特定の相手先でない番号情報を自己の通信端末に転送し、前記通知許可／不許可信号受信手段によって通知許可信号を受信したときに、前記記憶手段に記憶された変更後の番号情報を前記第三者の通信端末に通知する
ことを特徴とする請求項５または６記載のセンター装置。
【請求項８】
前記番号情報がメールアドレスからなる場合に、前記通知制御手段は、前記設定手段により第２または第３の通知条件が設定されたとき、前記メールアドレスを特定の相手先に一斉に通知する
ことを特徴とする請求項６または７記載のセンター装置。
【請求項９】
通信端末の電話番号およびメールアドレスの少なくとも一方からなる番号情報の変更を通知する番号情報変更通知方法であって、
自己の通信端末の変更前の番号情報、変更後の番号情報および通知先の番号情報を入力する入力工程と、
変更後の番号情報を第三者に通知する際の通知条件を設定する設定工程と、
前記入力された変更前の番号情報、変更後の番号情報、通知先の番号情報および設定された前記通知条件を通信回線を介して送信する送信工程と、
前記通信回線を介して前記変更前の番号情報、変更後の番号情報、通知先の番号情報および通知条件を受信する受信工程と、
前記受信された変更前の番号情報、変更後の番号情報、通知先の番号情報および前記通知条件を記憶手段に記憶する記憶工程と、
第三者の端末装置の番号情報と前記第三者の端末装置より発信された前記変更前の番号情報とを検出する検出工程と、
通信回線を介して前記変更前の番号情報と前記第三者の番号情報とを検出したときに、前記記憶手段に記憶された通知条件を参照して前記第三者の端末装置に変更後の番号情報を通知する制御を行う通知制御工程とを含んでなる
ことを特徴とする通信端末の番号情報変更通知方法。
【請求項１０】
前記通知条件は、
不特定の相手先に変更後の番号情報を通知する第１の通知条件と、
特定の相手先に変更後の番号情報を通知する第２の通知条件とを含んでなり、
前記検出工程において前記変更前の番号情報と前記第三者の番号情報とを検出したときに、前記通知制御工程において、前記記憶手段に記憶された第１または第２の通知条件を参照して前記第三者の端末装置に変更後の番号情報を通知することを特徴とする請求項９記載の通信端末の番号情報変更通知方法。
【請求項１１】
前記通知条件は、
特定の相手先に変更後の番号情報を通知するとともに、特定の相手先でない相手先については変更後の番号情報を通知するか否かの確認を行う第３の通知条件と、
不特定の相手先について変更後の番号情報を通知するか否かの確認を行う第４の通知条件とを含んでなり、
自己の通信端末から通知許可信号または通知不許可信号を受信する通知許可／不許可信号受信工程を含み、
前記通知制御工程においては、前記第３または第４の通知条件が設定されたときに、前記検出工程において検出された特定の相手先でない番号情報を自己の通信端末に転送し、前記通知許可／不許可受信工程において通知許可信号を受信したときに、変更後の番号情報を前記第三者の通信端末に通知する
ことを特徴とする請求項９または１０記載の通信端末の番号情報変更通知方法。
【請求項１２】
コンピュータに、通信端末の電話番号及びメールアドレスの少なくとも一方からなる番号情報の変更を通知させる番号情報変更通知プログラムであって、
自己の通信端末の変更前の番号情報、変更後の番号情報および通知先の番号情報を入力する入力機能と、
変更後の番号情報を第三者に通知する際の通知条件を設定する設定機能と、
前記入力された変更前の番号情報、変更後の番号情報および設定された前記通知条件を通信回線を介して送信する送信機能と、
前記通信回線を介して前記変更前の番号情報、変更後の番号情報、通知先の番号情報および通知条件を受信する受信機能と、
前記受信された変更前の番号情報、変更後の番号情報、通知先の番号情報および前記通知条件を記憶手段に記憶する記憶機能と、
第三者の端末装置の番号情報と前記第三者の端末装置より発信された前記変更前の番号情報とを検出する検出機能と、
前記番号情報検出手段によって前記変更前の番号情報と前記第三者の番号情報とを検出したときに、前記記憶手段に記憶された通知条件を参照して前記第三者の端末装置に変更後の番号情報を通知する制御を行う通知制御機能と
を実行させることを特徴とする番号情報変更通知プログラム。
【請求項１３】
前記通知条件は、
不特定の相手先に変更後の番号情報を通知する第１の通知条件と、
特定の相手先に変更後の番号情報を通知する第２の通知条件とを含んでなり、
前記通知制御機能は、
前記検出機能において前記変更前の番号情報と前記第三者の番号情報とを検出したときに、前記記憶手段に記憶された第１または第２の通知条件を参照して前記第三者の端末装置に変更後の番号情報を通知する機能を含む
ことを特徴とする請求項１２記載の番号情報変更通知プログラム。
【請求項１４】
前記通知条件は、
特定の相手先に変更後の番号情報を通知するとともに、特定の相手先でない相手先については変更後の番号情報を通知するか否かの確認を行う第３の通知条件と、
不特定の相手先について変更後の番号情報を通知するか否かの確認を行う第４の通知条件とを含んでなり、
コンピュータに、自己の通信端末から通知許可信号または通知不許可信号を受信する通知許可／不許可信号受信機能を実行させるとともに、
前記設定機能において第３または第４の通知条件が設定されたときに、前記検出機能において検出された前記第三者の番号情報を自己の通信端末に転送し、前記通知許可／不許可機能において特定の相手先でない通知許可信号を受信したときに、前記通知制御機能において、変更後の番号情報を前記第三者の通信端末に通知する機能を実行させる
ことを特徴とする請求項１２または１３記載の番号情報変更通知プログラム。
【請求項１５】
請求項１２から１４のいずれかに記載の番号情報変更通知プログラムを記録したコンピュータ読み取り可能な記録媒体。
【発明の詳細な説明】
【０００１】
【発明の属する技術分野】
本発明は、通信端末の電話番号またはメールアドレスが変更されたときに、変更したユーザが指定した通知内容で第三者に通知することができる通信端末の番号情報変更通知システム、センター装置、番号情報変更通知方法、番号情報変更通知プログラムおよびプログラム記録媒体に関する。
【０００２】
【従来の技術】
通信端末の加入者に対するサービスとして従来から自動番号通知案内装置による電話番号の案内サービスが行われている。このサービスは電話番号が変更になっている加入者に着信があった場合に、機械による合成音声によって新番号を通知するサービスであり、旧番号に電話をかけてきた相手に新番号が自動的に通知されるので、加入者との通話を望む相手は、加入者から変更された電話番号を知らされていなくとも、新番号にダイヤルし直すことによって電話番号を変更した加入者と通話を行うことができる。
【０００３】
また、近時では、迷惑メール等の問題があることから、電子メールサービスの加入者がメールアドレスを頻繁に変更する傾向にあり、メールアドレスを変更した場合のメールアドレス通知方法が提案されている。従来のメールアドレス通知方法の一例は、送信者が旧メールアドレスにメールを送ると、メールサーバが旧メールアドレス宛の電子メールからヘッダ情報を読み取って発信元メールアドレスを抽出し、送信先のメールアドレスが変更されたことを通知するメールを作成して、この電子メールを抽出した発信元電子メールアドレス宛に返信することにより、メールアドレスが変更されたことを発信元に簡単に知らせることができるようになっている（例えば、特許文献１参照。）。
なお、出願人は、本明細書に記載した先行技術文献情報で特定される先行技術文献以外には、本発明に関連する先行技術文献を出願時までに発見するには至らなかった。
【０００４】
【特許文献１】
特開２００１−１１１６０１号公報（図４）
【０００５】
【発明が解決しようとする課題】
しかしながら、このような従来の電話番号の変更通知方法にあっては、音声ガイダンスで新電話番号を通知してしまうので、ストーカー行為等を行う等の新電話番号を知らせたくない相手先にも新電話番号が通知されてしまうという問題があった。また、新電話番号の通知を全て行わないようにするために、「この電話番号は現在使われておりません」という合成音で通知を行うようにすることができるが、この場合には、知らせたい相手先に電話番号を通知することができないという問題があった。
【０００６】
一方、メールアドレス等の番号情報の変更通知方法にあっては、送信者が旧メールアドレスに電子メールを送ると、メールアドレスが変更されたことを発信元に通知するため、新メールアドレスを知らせたくない相手先にも新メールアドレスが通知されてしまうという問題があった。
本発明は、上記問題点を解決するもので、電話番号またはメールアドレスからなる番号情報を第三者に通知する際の通知条件を任意に設定することができるようにして、通信端末の所有者が番号情報を通知したい相手先に通知したり、通知したくない相手先に通知しないようにすることができる通信端末の番号情報変更通知システム、センター装置、番号情報変更通知方法、番号情報変更通知プログラムおよびプログラム記録媒体を提供するものである。
【０００７】
【課題を解決するための手段】
本発明の番号情報変更通知システムは、登録端末とセンター装置とを備え、通信端末の電話番号およびメールアドレスの少なくとも一方からなる番号情報の変更を通知する番号情報変更通知システムであって、登録端末は、自己の通信端末の変更前の番号情報、変更後の番号情報および通知先の番号情報を入力する入力手段と、変更後の番号情報を第三者に通知する際の通知条件を設定する設定手段と、入力手段に入力された変更前の番号情報、変更後の番号情報、通知先の番号情報及び通知条件を通信回線を介して送信する送信手段とを備え、センター装置は、通信回線を介して変更前の番号情報、変更後の番号情報、通知先の番号情報および通知条件を受信する番号情報・通知条件受信手段と、番号情報・通知条件受信手段によって受信された変更前の番号情報、変更後の番号情報、通知先の番号情報および通知条件を記憶する記憶手段と、第三者の端末装置の番号情報と第三者の端末装置より発信された変更前の番号情報とを検出する番号情報検出手段と、番号情報検出手段によって変更前の番号情報と第三者の番号情報とを検出したときに、記憶手段に記憶された通知条件を参照して第三者の端末装置に変更後の番号情報を通知する制御を行う通知制御手段とを備えたことを特徴としている。このような構成により、番号情報を第三者に通知する際の通知条件を任意に設定することができるため、自己の通信端末の所有者が番号情報を通知したい相手先に通知したり、通知したくない相手先に通知しないようにすることができる。
【０００８】
また、本発明の番号情報変更通知システムは、通知条件は、不特定の相手先に変更後の番号情報を通知する第１の通知条件と、特定の相手先に変更後の番号情報を通知する第２の通知条件とを含んでなり、通知制御手段は、番号情報検出手段によって変更前の番号情報と第三者の番号情報とを検出したときに、記憶手段に記憶された第１または第２の通知条件を参照して第三者の端末装置に変更後の番号情報を通知する制御を行うことを特徴としている。このような構成により、番号情報を第三者に通知する際の通知条件を第１または第２の通知条件から選択して設定することができる。このため、自己の通信端末の所有者が番号情報を通知する際の通知条件を自由に設定することができる。
【０００９】
また、本発明の番号情報変更通知システムは、通知条件は、特定の相手先に変更後の番号情報を通知するとともに、特定の相手先でない相手先については変更後の番号情報を通知するか否かの確認を行う第３の通知条件と、不特定の相手先について変更後の番号情報を通知するか否かの確認を行う第４の通知条件とを含んでなり、センター装置は、自己の通信端末から通知許可信号または通知不許可信号を受信する通知許可／不許可信号受信手段を有し、通知制御手段は、第３または第４の通知条件が設定されたときに、番号情報検出手段によって検出された特定の相手先でない番号情報を自己の通信端末に転送し、通知許可／不許可信号受信手段によって通知許可信号を受信したときに、記憶手段に記憶された変更後の番号情報を第三者の通信端末に通知することを特徴としている。このような構成により、第三者から番号情報の問い合わせがある度に、センター装置から自己の通信端末の所有者に番号情報を通知したいか否かの判断を仰ぐことができるため、所有者はその都度、変更後の番号情報の通知／非通知を決定することができ、最初に通知／非通知を設定してから通知／非通知を変更したい場合に自由に変更することができる。この結果、番号情報の通知／非通知の融通性を持たせることができる。
【００１０】
また、本発明の番号情報変更通知システムは、番号情報がメールアドレスからなる場合に、通知制御手段は、設定手段により第２または第３の通知条件が設定されたときに、メールアドレスを特定の相手先に一斉に通知することを特徴としている。このような構成により、新メールアドレスを通知したい相手先に一斉に新メールアドレスを通知することができるため、メールアドレスが変更されたことを特定の相手先に簡単、かつ、確実に知らせることができる。
【００１１】
また、本発明のセンター装置は、自己の通信端末の変更前の電話番号およびメールアドレスの少なくとも一方からなる番号情報、変更後の前記番号情報、通知先の番号情報および変更後の番号情報を第三者に通知する際の通知条件を受信する番号情報・通知条件受信手段と、番号情報・通知条件受信手段によって受信された変更前の番号情報、変更後の番号情報、通知先の番号情報および通知条件を記憶する記憶手段と、第三者の端末装置の番号情報と第三者の端末装置より発信された変更前の番号情報とを検出する番号情報検出手段と、番号情報検出手段によって変更前の番号情報と第三者の番号情報とを検出したときに、記憶手段に記憶された通知条件を参照して第三者の端末装置に変更後の番号情報を通知する制御を行う通知制御手段とを備えたことを特徴としている。このような構成により、番号情報を第三者に通知する際の通知条件に応じて、自己の通信端末の所有者が番号情報を通知したい相手先に通知したり、通知したくない相手先に通知しないようにすることができる。
【００１２】
また、本発明のセンター装置は、通知条件は、不特定の相手先に変更後の番号情報を通知する第１の通知条件と、特定の相手先に変更後の番号情報を通知する第２の通知条件とを含んでなり、通知制御手段は、番号情報検出手段によって変更前の番号情報と第三者の番号情報とを検出したときに、記憶手段に記憶された第１または第２の通知条件を参照して第三者の端末装置に変更後の番号情報を通知する制御を行うことを特徴としている。このような構成により、番号情報を第三者に通知する際の通知条件を第１または第２の通知条件から選択して設定することができる。このため、自己の通信端末の所有者が番号情報を通知する際の通知条件を自由に選択してその選択結果に応じた通知を行うことができる。
【００１３】
また、本発明のセンター装置は、通知条件は、特定の相手先に変更後の番号情報を通知するとともに、特定の相手先でない相手先については変更後の番号情報を通知するか否かの確認を行う第３の通知条件と、不特定の相手先について変更後の番号情報を通知するか否かの確認を行う第４の通知条件とを含んでなり、自己の通信端末から通知許可信号または通知不許可信号を受信する通知許可／不許可信号受信手段を設け、通知制御手段は、第３または第４の通知条件が設定されたときに、番号情報検出手段によって検出された特定の相手先でない番号情報を自己の通信端末に転送し、通知許可／不許可信号受信手段によって通知許可信号を受信したときに、記憶手段に記憶された変更後の番号情報を前記第三者の通信端末に通知することを特徴としている。このような構成により、第三者から番号情報の問い合わせがある度に、センター装置から自己の通信端末の所有者に番号情報を通知したいか否かの判断を仰ぐことができるため、所有者はその都度、変更後の番号情報の通知／非通知を決定することができ、最初に通知／非通知を設定してから通知／非通知を変更したい場合に自由に変更することができる。この結果、番号情報の通知／非通知の融通性を持たせることができる。
【００１４】
また、本発明のセンター装置は、番号情報がメールアドレスからなる場合に、通知制御手段は、設定手段により第２または第３の通知条件が設定されたとき、メールアドレスを特定の相手先に一斉に通知することを特徴としている。このような構成により、新メールアドレスを通知したい相手先に一斉に新メールアドレスを通知することができるため、メールアドレスが変更されたことを特定の相手先に簡単、かつ、確実に知らせることができる。
【００１５】
また、本発明の番号情報変更通知方法は、通信端末の電話番号およびメールアドレスの少なくとも一方からなる番号情報の変更を通知する番号情報変更通知方法であって、自己の通信端末の変更前の番号情報、変更後の番号情報および通知先の番号情報を入力する入力工程と、変更後の番号情報を第三者に通知する際の通知条件を設定する設定工程と、入力された変更前の番号情報、変更後の番号情報、通知先の番号情報および設定された通知条件を通信回線を介して送信する送信工程と、通信回線を介して変更前の番号情報、変更後の番号情報、通知先の番号情報および通知条件を受信する受信工程と、受信された変更前の番号情報、変更後の番号情報、通知先の番号情報および通知条件を記憶手段に記憶する記憶工程と、第三者の端末装置の番号情報と第三者の端末装置より発信された変更前の番号情報とを検出する検出工程と、通信回線を介して変更前の番号情報と第三者の番号情報とを検出したときに、記憶手段に記憶された通知条件を参照して第三者の端末装置に変更後の番号情報を通知する制御を行う通知制御工程とを含んでなることを特徴としている。このような方法により、番号情報を第三者に通知する際の通知条件を任意に設定することができるため、自己の通信端末の所有者が番号情報を通知したい相手先に通知したり、通知したくない相手先に通知しないようにすることができる。
【００１６】
また、本発明の番号情報変更通知方法は、通知条件は、不特定の相手先に変更後の番号情報を通知する第１の通知条件と、特定の相手先に変更後の番号情報を通知する第２の通知条件とを含んでなり、検出工程において変更前の番号情報と第三者の番号情報とを検出したときに、通知制御工程において、記憶手段に記憶された第１または第２の通知条件を参照して第三者の端末装置に変更後の番号情報を通知することを特徴としている。このような方法により、番号情報を第三者に通知する際の通知条件を第１または第２の通知条件から選択して設定することができる。このため、自己の通信端末の所有者が番号情報を通知する際の通知条件を自由に設定することができる。
【００１７】
また、本発明の番号情報変更通知方法は、通知条件は、特定の相手先に変更後の番号情報を通知するとともに、特定の相手先でない相手先については変更後の番号情報を通知するか否かの確認を行う第３の通知条件と、不特定の相手先について変更後の番号情報を通知するか否かの確認を行う第４の通知条件とを含んでなり、自己の通信端末から通知許可信号または通知不許可信号を受信する通知許可／不許可信号受信工程を含み、通知制御工程においては、第３または第４の通知条件が設定されたときに、検出工程において検出された特定の相手先でない番号情報を自己の通信端末に転送し、通知許可／不許可受信工程において通知許可信号を受信したときに、変更後の番号情報を第三者の通信端末に通知することを特徴としている。このような方法により、第三者から番号情報の問い合わせがある度に、センター装置から自己の通信端末の所有者に番号情報を通知したいか否かの判断を仰ぐことができるため、所有者はその都度、変更後の番号情報の通知／非通知を決定することができ、最初に通知／非通知を設定してから通知／非通知を変更したい場合に自由に変更することができる。この結果、番号情報の通知／非通知の融通性を持たせることができる。
【００１８】
また、本発明の番号情報変更通知プログラムは、コンピュータに、通信端末の電話番号及びメールアドレスの少なくとも一方からなる番号情報の変更を通知させる番号情報変更通知プログラムであって、自己の通信端末の変更前の番号情報、変更後の番号情報および通知先の番号情報を入力する入力機能と、変更後の番号情報を第三者に通知する際の通知条件を設定する設定機能と、入力された変更前の番号情報、変更後の番号情報および設定された通知条件を通信回線を介して送信する送信機能と、通信回線を介して変更前の番号情報、変更後の番号情報、通知先の番号情報および通知条件を受信する受信機能と、受信された変更前の番号情報、変更後の番号情報、通知先の番号情報および通知条件を記憶手段に記憶する記憶機能と、第三者の端末装置の番号情報と第三者の端末装置より発信された変更前の番号情報とを検出する検出機能と、番号情報検出手段によって変更前の番号情報と第三者の番号情報とを検出したときに、記憶手段に記憶された通知条件を参照して第三者の端末装置に変更後の番号情報を通知する制御を行う通知制御機能とを実行させることを特徴としている。このようなプログラムにより、番号情報を第三者に通知する際の通知条件を任意に設定することができ、自己の通信端末の所有者が番号情報を通知したい相手先に通知したり、通知したくない相手先に通知しないようにする処理をコンピュータに実行させることができる。
【００１９】
また、本発明の番号情報変更通知プログラムは、通知条件は、不特定の相手先に変更後の番号情報を通知する第１の通知条件と、特定の相手先に変更後の番号情報を通知する第２の通知条件とを含んでなり、通知制御機能は、検出機能において変更前の番号情報と第三者の番号情報とを検出したときに、記憶手段に記憶された第１または第２の通知条件を参照して第三者の端末装置に変更後の番号情報を通知する機能を含むことを特徴としている。このようなプログラムにより、番号情報を第三者に通知する際の通知条件を第１または第２の通知条件から選択して設定することができ、自己の通信端末の所有者が番号情報を通知する際の通知条件を自由に設定することができる処理をコンピュータに実行させることができる。
【００２０】
また、本発明の番号情報変更通知プログラムは、通知条件は、特定の相手先に変更後の番号情報を通知するとともに、特定の相手先でない相手先については変更後の番号情報を通知するか否かの確認を行う第３の通知条件と、不特定の相手先について変更後の番号情報を通知するか否かの確認を行う第４の通知条件とを含んでなり、コンピュータに、自己の通信端末から通知許可信号または通知不許可信号を受信する通知許可／不許可信号受信機能を実行させるとともに、設定機能において第３または第４の通知条件が設定されたときに、検出機能において検出された第三者の番号情報を自己の通信端末に転送し、通知許可／不許可機能において特定の相手先でない通知許可信号を受信したときに、通知制御機能において、変更後の番号情報を第三者の通信端末に通知する機能を実行させることを特徴としている。このようなプログラムにより、第三者から番号情報の問い合わせがある度に、センター装置から自己の通信端末の所有者に番号情報を通知したいか否かの判断を仰ぐよ卯にして、最初に通知／非通知を設定してから通知／非通知を変更したい場合に自由に変更することができ、番号情報の通知／非通知の融通性を持たせることができる処理をコンピュータに実行させることができる。
【００２１】
また、本発明のコンピュータ読み取り可能な記録媒体は、上述した番号情報変更通知プログラムを記録したことを特徴としている。このようなプログラム記録媒体により、コンピュータに上述した番号情報変更通知機能を実現させる番号情報変更通知プログラムを読み込ませ、実行させることができる。
【００２２】
【発明の実施の形態】
以下、本発明の実施の形態を図面に基づいて説明する。
図１は、本発明を実施するための通信端末の番号情報変更通知システムの一構成例を示す概念図であり、本発明の実施の形態を示す。同図において、この番号情報変更通知システムは、インターネット１および電話回線網２に接続されたセンター装置３と、インターネット１に接続された端末装置Ａ４および端末装置Ｂ５と、基地局６を介してインターネット１および電話回線網２に接続可能な携帯電話機Ａ７および携帯電話機Ｂ８と、電話回線網２に接続された固定電話機Ａ９および固定電話機Ｂ１０とを有している。
【００２３】
この番号情報変更通知システムは、ユーザが登録端末を用いて自己の通信端末の電話番号およびメールアドレスの少なくとも一方からなる番号情報の変更と通知条件をセンター装置３に登録することにより、センター装置３が第三者の通信端末から発信された変更前の番号情報と第三者の通信端末の番号情報を検出すると通知条件に基づいて第三者の通信端末へ情報提供を行うサービスを提供する。この場合、センター装置３は、インターネット１を介した登録と電話回線網２を介した登録とが可能であり、インターネット１を介した情報提供と電話回線網２を介した情報提供とが可能である。
【００２４】
インターネット１を介した情報提供には、第三者の通信端末からセンター装置３に直接行われる変更後情報の問い合わせに回答することにより行われるものと、メールサーバ（図示せず）から転送される変更前メールアドレス宛の電子メールの発信元に変更後メールアドレスを記載した電子メールを送信することにより行われるものとがある。また、電話回線網２を介した情報提供には、第三者の通信端末からセンター装置３に直接行われる変更後情報の問い合わせに音声ガイダンスで回答することにより行われるものと、交換機（図示せず）から転送される変更前電話番号宛の着信信号を受信し、音声ガイダンスで変更後電話番号を通知することにより行われるものとがある。
【００２５】
また、センター装置３は４つの通知条件（モード１〜４）が登録可能である。第１の通知条件（モード１）では、不特定の相手先に変更後の番号情報を通知する。第２の通知条件（モード２）では、特定の相手先に変更後の番号情報を通知する。第３の通知条件（モード３）では、特定の相手先に変更後の番号情報を通知するとともに、特定の相手先でない相手先については変更後の番号情報を通知するか否かの確認を行う。第４の通知条件（モード４）では、不特定の相手先について変更後の番号情報を通知するか否かの確認を行う。
【００２６】
センター装置３のインターネット１を介した登録および情報提供は、端末装置Ａ４、端末装置Ｂ５、携帯電話機Ａ７および携帯電話機Ｂ８との間で行われる。また、センター装置３の電話回線網２を介した登録および情報提供は、携帯電話機Ａ７、携帯電話機Ｂ８、固定電話機Ａ９および固定電話機Ｂ１０との間で行われる。以後、ユーザの通信端末を携帯電話機Ａ７とし、登録端末を端末装置Ａ４、携帯電話機Ａ７および固定電話機Ａ９とし、第三者の通信端末を端末装置Ｂ５、携帯電話機Ｂ８および固定電話機Ｂ１０として、センター装置３のインターネット１を介した登録と情報提供、電話回線網２を介した登録と情報提供について説明する。
【００２７】
まず、センター装置３について説明する。図２は、センター装置３の一構成例を示すブロック図である。同図において、センター装置３は、制御部３１、データ記録部３２、ネットワークインタフェース３３、電話回線インタフェース３４、音声生成部３５、音声出力部３６およびＣＤ−ＲＯＭドライブ３７とを有する。制御部３１は、ＣＰＵ（Ｃｅｎｔｒａｌ  Ｐｒｏｃｅｓｓｉｎｇ  Ｕｎｉｔ）とＲＡＭ（Ｒａｎｄｏｍ  Ａｃｃｅｓｓ  Ｍｅｍｏｒｙ）とを有し、ＣＰＵがＲＡＭに格納された番号情報変更通知プログラムを実行することにより、センター装置３全体を制御しセンター装置３の機能を実現する。
【００２８】
データ記録部３２はハードディスクから構成されており、このデータ記録部３２には変更前の番号情報、変更後の番号情報、通知先の番号情報、確認先の番号情報および通知条件が制御部３１によりそれぞれ関連づけられて記憶される。また、データ記録部３２には後述するインターネット１を介して接続される登録端末や第三者の通信端末の認証に用いられる登録ＩＤとパスワードが関連づけられて記憶されている。
【００２９】
ネットワークインタフェース３３は、インターネット１を介して登録端末や第三者の通信端末とデータ通信を行う機能を有する。この場合、ネットワークインタフェース３３は、登録端末（端末装置Ａ４、携帯電話機Ａ７）から変更前の番号情報、変更後の番号情報、通知先の番号情報、確認先の番号情報および通知条件を受信する。また、第三者の通信端末（端末装置Ｂ５、携帯電話機Ｂ８）から発信された変更前の番号情報と第三者の通信端末の番号情報を受信し、制御部３１から出力される通知条件に対応した応答を第三者の通信端末へ送信する。さらに、変更前のメールアドレスを送信先とする電子メールを受信し、制御部３１から出力される通知条件に対応した電子メールを送信する。
【００３０】
電話回線インタフェース３４は、電話回線網２を介して登録端末（携帯電話機Ａ７、固定電話機Ａ９）や第三者の通信端末（携帯電話機Ｂ８、固定電話機Ｂ１０）と音声通話およびＤＴＭＦ（ｄｉａｌ  ｔｏｎｅ  ｍｕｌｔｉ−ｆｒｅｑｕｅｎｃｙ）信号の伝送を行うとともに、着信があった場合に、この着信信号からＤＴＭＦ信号を取り出して相手先の電話番号、変更前の番号情報、変更後の番号情報、通知先の番号情報、確認先の番号情報、通知条件、音声ガイダンスに対する応答および通知許可／不許可信号を取得する機能を有する。なお、電話回線インタフェース３４にモデムを設けることにより、電話回線網２を介してデータ通信を行うようにすることも可能である。この場合、電話回線インタフェース３４をネットワークインタフェース３３と同様に機能させるようにしてもよい。
【００３１】
音声生成部３５は、制御部３１の出力する通知結果に応じたメッセージの音声信号を生成する機能を有する。
音声出力部３６は音声生成部３５の生成する音声信号を音声に変換する機能を有し、電話回線インタフェース３４を介して音声ガイダンスを送信することを可能とする。
【００３２】
ＣＤ−ＲＯＭドライバ３７はＣＤ−ＲＯＭ３８に記録された番号情報変更通知プログラムを読み取り、この読み取られた番号情報変更通知プログラムを制御部３１のＲＡＭにインストールする機能を有する。なお、この番号情報変更通知プログラムはＣＤ−ＲＯＭ３８等の記録媒体から読み込むのではなく、本センター装置３を所定のサーバとネットワークで接続しておき、サーバからＲＡＭにインストールするようにしてもよい。
【００３３】
次に、登録端末と第三者の通信端末について説明する。
端末装置Ａ４および端末装置Ｂ５は、インターネット１を介してセンター装置３と接続可能に構成されたパーソナルコンピュータ（ＰＣ）であり、それぞれ登録端末と第三者の端末装置として機能する。図３は、登録端末として機能する端末装置Ａ４の一構成例を示すブロック図である。図３において、端末装置Ａ４は操作部４１、メモリ４２、表示部４３、ＣＰＵ４４および通信部４５を有する。
【００３４】
操作部（入力手段、設定手段）４１は複数の操作ボタンから構成されており、この操作部４１から変更前の番号情報、変更後の番号情報、通知条件、特定の通知先の番号情報および確認先の番号情報を入力する。なお、ここでいう番号情報とは通信端末の電話番号またはメールアドレスのことである。通知する番号情報は電話番号及びメールアドレスのいずれか一方でも両方でもよいが、本実施の形態では、両方について説明する。
【００３５】
また、通知先の番号情報とは、通知条件が特定の通知先に変更後の番号情報を通知すると指定された場合（モード２またはモード３）に変更後の番号情報を通知する通知先の番号情報であり、例えば友人、知人、会社、家族等の番号情報である。また、確認先の番号情報とは、通知条件が変更後の番号情報を通知するか否かの確認を行うと指定された場合（モード３またはモード４）に確認を求める先の番号情報であり、例えばユーザの携帯電話機の電話番号やメールアドレスである。
【００３６】
メモリ４２はハードディスクやＩＣメモリ等から構成されており、操作部４１から入力された変更前の番号情報、変更後の番号情報、通知条件、特定の通知先の番号情報および確認先の番号情報を記憶する。表示部４３は液晶表示パネル等から構成されており、変更前の番号情報、変更後の番号情報、通知条件、特定の通知先の番号情報および確認先の番号情報を表示する。ＣＰＵ４４は本端末装置Ａ４全体を制御するものであり、操作部４１によって変更前の番号情報、変更後の番号情報、通知条件、特定の通知先の番号情報および確認先の番号情報が入力され、送信キーが押下された場合に、メモリ４２に記憶された各番号情報および通知条件を読み出して通信部４５から送信する。
【００３７】
通信部４５は、インターネット１に接続されたインターフェースであり、メモリ４２から読み出されたデジタル化された各番号情報および通知条件をインターネット１を介して送信するとともに、センター装置３から各種情報を受信する。本実施の形態ではＣＰＵ４４および通信部４５が送信手段を構成している。なお、本実施の形態では、メモリ４２には携帯電話専用アドレス帳管理用の専用ソフトウエアがインストールされており、センター装置３に端末装置Ａ４を接続したときに番号情報や通知条件を簡単に登録することが可能である。なお、センター装置３の電話回線インタフェース３４がモデムを備えている場合は、通信部４５にモデムを備えた電話回線インタフェースを用い、デジタルデータをアナログデータに変換して電話回線網に送出するようにしてもよい。
【００３８】
第三者の端末装置として機能する端末装置Ｂ５は、端末装置Ａ４と同様の構成を有する。この場合、端末装置Ｂ５は、メモリにセンター装置３への変更後情報照会機能を有する専用ソフトウエアがインストールされており、センター装置３に端末装置Ｂ５を接続したときに所望の電話番号やメールアドレスを問い合わせることができる。
【００３９】
携帯電話機Ａ７および携帯電話機Ｂ８は、インターネット１を介してセンター装置３とデータ通信可能であるとともに、電話回線網２を介してセンター装置３と音声通話およびＤＴＭＦ（ｄｉａｌ  ｔｏｎｅ  ｍｕｌｔｉ−ｆｒｅｑｕｅｎｃｙ）信号の伝送が可能であり、それぞれ登録端末と第三者の端末装置として機能する。携帯電話機Ａ７は、インターネット１を介してセンター装置３と接続した場合、端末装置Ａ４と同様に動作し、電話回線網２を介してセンター装置３と接続した場合、後述する固定電話機Ａ９と同様に動作する。また、確認先の番号情報としてこの電話番号やメールアドレスを登録することにより、確認先の通信端末として用いられる。携帯電話機Ｂ８は、インターネット１を介してセンター装置３と接続した場合、端末装置Ｂ５と同様に動作し、所望の電話番号やメールアドレスを問い合わせることができる。また、電話回線網２を介してセンター装置３と接続した場合、後述する固定電話機Ｂ１０と同様に動作し、所望の電話番号を問い合わせることができる。
【００４０】
固定電話機Ａ９および固定電話機Ｂ１０は、電話回線網２を介してセンター装置３と音声通話およびＤＴＭＦ信号の伝送が可能であり、それぞれ登録端末と第三者の端末装置として機能する。固定電話機Ａ９は、電話回線網２を介してセンター装置３と接続した場合、センター装置３の音声ガイダンスにしたがって変更前の電話番号、変更後の電話番号、通知条件、特定の通知先の電話番号および確認先の電話番号を登録することができる。固定電話機Ｂ１０は、電話回線網２を介してセンター装置３と接続した場合、センター装置３の音声ガイダンスにしたがって変更前の電話番号をダイヤルすることにより所望の電話番号を問い合わせることができる。
【００４１】
次に、センター装置３への番号情報の変更と通知条件の登録について図４を参照して説明する。図４は、センター装置３の登録動作の一例を示すフローチャートである。ユーザが登録端末を用いてセンター装置３に接続すると、センター装置３は、制御部３１が登録端末の認証を行う（ステップＳ１）。認証は、例えば、登録ＩＤとパスワードにより行う。この場合、インターネット１を介した接続のときは、例えばセンター装置３から登録端末へ登録ＩＤとパスワードの入力を要求し、ユーザが登録端末を操作して送信した登録ＩＤとパスワードを受信し、データ記録部３２に記録された登録ＩＤとパスワードと比較することにより行う。また、電話回線網２を介した接続のときは、例えばセンター装置３から送信される音声ガイダンスにしたがってユーザが携帯電話機や固定電話機のプッシュボタンを操作して登録ＩＤとパスワードを入力することにより発信されるＤＴＭＦ信号を検知し、データ記録部３２に記録された登録ＩＤとパスワードと比較することにより行う。
【００４２】
認証後、センター装置３は登録端末から送信される変更前番号情報を受信し（ステップＳ２）、次に変更後番号情報を受信する（ステップＳ３）。次に、センター装置３は通知条件を受信し（ステップＳ４）、受信した通知条件に特定相手への通知が含まれているか否か判定する（ステップＳ５）。通知条件に特定相手への通知が含まれている場合（モード２またはモード３）は、特定相手の通知先番号情報を受信する（ステップＳ６）。さらに、通知条件に個別確認が含まれているか否か判定し（ステップＳ７）、通知条件に個別確認が含まれている場合（モード３またはモード４）は、確認先番号情報を受信する（ステップＳ８）。
【００４３】
次に、センター装置３は制御部３１がこれらの受信データをデータ記録部３２に関連づけて記録する（ステップＳ９）。なお、本実施の形態のセンター装置３のオプション機能として、第２または第３の通知条件（モード２またはモード３）が設定されたときに、変更後のメールアドレスをデータ記録部３２から読み出し、ネットワークインタフェース３３から特定の相手先に一斉に通知するようにしてもよい。また、番号情報や通知条件を登録する方法として、センター装置３に登録専用のＷｅｂサーバー機能を備えるようにし、登録端末がＷｅｂブラウザでセンター装置３のＷｅｂページにアクセスして登録するようにしてもよい。すなわち、番号情報および通知条件をセンター装置３に登録できれるものであれば登録手段はどのようなものでもよい。
【００４４】
次に、番号情報の問い合わせに対するセンター装置３の動作について図５を参照して説明する。図５は、センター装置３の番号情報通知動作の一例を示すフローチャートである。まず、センター装置３は第三者の端末装置の発信した変更前番号情報と第三者の端末装置の番号情報を受信する（ステップＳ１１，Ｓ１２）。この場合、第三者の端末装置とインターネット１を介して接続されたときは、第三者の端末装置から入力された登録ＩＤとパスワードにより、第三者の番号情報を検知するか、変更前番号情報とともに第三者の端末装置の番号情報の入力を要求し受信する。また、第三者の端末装置と電話回線網２を介して接続されたときは、着信信号からＤＴＭＦ信号を取り出して相手先の電話番号を検知し、その後変更前電話番号のダイヤルを促す音声ガイダンスによりＤＴＭＦ信号として送信される変更前電話番号を検知する。
【００４５】
次に、センター装置３は制御部３１が受信した変更前番号情報がデータ記録部３２に記録されているか検索する変更前番号情報検索を行い（ステップＳ１３）、受信した変更前番号情報と一致するデータがあるときは（ステップＳ１４−Ｙｅｓ）、変更前番号情報に関連づけられた通知条件を確認する（ステップＳ１５）。通知条件が不特定相手に通知（モード１）であるときは、変更前番号情報に関連づけられた変更後番号情報を相手先に通知する（ステップＳ１６）。この場合、問い合わせ対象がメールアドレスであれば、「旧メールアドレス×××××は新しいメールアドレス○○○○○に変わりました」を、電話番号であれば「旧電話番号×××××は新しい電話番号○○○○○に変わりました」を、問い合わせ手段に対応した回答方法で通知する。
【００４６】
通知条件が特定相手に通知（モード２またはモード３）であるときは、変更前番号情報に関連づけられた通知先の番号情報に受信した相手先の番号情報が記録されている検索する相手先番号情報検索を行い（ステップＳ１７）、受信した相手先の番号情報と一致するデータがあるときは（ステップＳ１８−Ｙｅｓ）、ステップＳ１６へ進み変更前番号情報に関連づけられた変更後番号情報を相手先に通知する。受信した相手先の番号情報と一致するデータがないときは（ステップＳ１８−Ｎｏ）、通知条件に個別確認（モード３）が含まれているか確認する（ステップＳ１９）。個別確認（モード３）が含まれていないときは、非通知メッセージを相手先に通知する（ステップＳ２２）。この場合、問い合わせ対象がメールアドレスであれば、「このメールアドレスは現在使われておりません」を、電話番号であれば「この電話番号は現在使われておりません」を、問い合わせ手段に対応した回答方法で通知する。
【００４７】
ステップＳ１９で個別確認（モード３）が含まれている場合と、ステップＳ１５で通知条件が個別確認（モード４）である場合は、変更前番号情報に関連づけられた確認先の番号情報に通知許可問い合わせを行う（ステップＳ２０）。この場合、通知許可問い合わせは、相手先の番号情報とともに通知許可／不許可信号を音声ガイダンスで携帯電話機Ａ７に送信する。例えば、通知許可問い合わせの対象がメールであれば「ａｂｃｄ＠ｎｅ．ｊｐからメールが届いています。新しいメールアドレスを通知しますか？」という問い合わせを行う。また、音声通話であれば「○○○○○から電話がありました。新しい電話番号を通知しますか？」という問い合わせを行う。また、第三者の通信端末からセンター装置３に直接行われる変更後情報の問い合わせであれば「○○○○○から電話番号（メールアドレス）の問い合わせがありました。新しい電話番号（メールアドレス）を通知しますか？」という問い合わせを行う。
【００４８】
確認先からの回答が通知可のときは（ステップＳ２１−Ｙｅｓ）、ステップＳ１６へ進み変更前番号情報に関連づけられた変更後番号情報を相手先に通知する。確認先からの回答が通知不可のときは（ステップＳ２１−Ｎｏ）、ステップＳ２２へ進み非通知メッセージを相手先に通知する。ここで、確認先からの応答として、通知可は携帯電話機Ａ７の通知許可キー（例えば、＃キー）に対応するＤＴＭＦ信号の送信で行われ、この＃キーに対応する信号を検出したときに、ステップＳ１６移行の処理を実施する。一方、通知不可は、携帯電話機Ａ７の通知不許可キー（例えば、＊キー）に対応するＤＴＭＦ信号の送信で行われ、この＊キーに対応する信号を検出したときに、ステップＳ２２移行の処理を実施する。
また、ステップＳ１４で受信した変更前番号情報と一致するデータがないときは（ステップＳ１４−Ｎｏ）、非該当メッセージを相手先に通知する（ステップＳ２３）。
【００４９】
このように本実施の形態では、ユーザが登録端末から自己の通信端末の変更前の番号情報、変更後の番号情報、通知先の番号情報、確認先の番号情報および変更後の電話番号の第三者に通知する際の通知条件とを登録し、登録された変更前の番号情報、変更後の番号情報、通知先の番号情報、確認先の番号情報および通知条件をインターネット１または電話回線網２を介してセンター装置３に送信し、次いで、センター装置３で変更前の番号情報、変更後の番号情報、通知先の番号情報、確認先の番号情報および通知条件をデータ記録部３２に記憶しておき、第三者の端末装置から着信があったときに、第三者の端末装置の番号情報を検出し、データ記録部３２に記憶された通知条件を参照して第三者の端末装置に変更後の番号情報を通知する制御を行うようにしたため、電話番号やメールアドレスからなる番号情報を第三者に通知する際の通知条件を任意に設定することができる。このため、通信端末の所有者が番号情報を通知したい相手先に通知したり、通知したくない相手先に通知しないようにすることができる。
【００５０】
また、通知条件として、不特定の相手先に変更後の番号情報を通知する第１の通知条件（モード１）、特定の相手先に変更後の番号情報を通知する第２の通知条件（モード２）を設定し、第三者の番号情報を検出したときに、データ記録部３２に記憶された第１または第２の通知条件を参照して第三者の端末装置に変更後の番号情報を通知するようにしたため、番号情報を第三者に通知する際の通知条件を第１または第２の通知条件から選択して設定することができる。このため、通信端末の所有者が番号情報を通知する際の通知条件を自由に設定することができる。
【００５１】
さらに、通知条件として、特定の相手先に変更後の番号情報を通知するとともに、特定の相手先でない相手先については変更後の番号情報を通知するか否かの確認を行う第３の通知条件（モード３）と、不特定の相手先について変更後の番号情報を通知するか否かの確認を行う第４の通知条件とを設定し、第３または第４の通知条件（モード４）が設定されたときに、第三者の番号情報が特定の相手先でない番号情報である場合に、この番号情報を自己の通信端末に転送し、通知許可信号を受信したときに、データ記録部３２に記憶された変更後の番号情報を第三者の通信端末に通知するようにしたため、第三者から番号情報の問い合わせがある度に、当該通信端末の所有者に番号情報を通知したいか否かの判断を仰ぐことができるため、所有者はその都度、変更後の番号情報の通知／非通知を決定することができる。このため、最初に通知／非通知を設定してから通知／非通知を変更したい場合に自由に変更することができ、番号情報の通知／非通知の融通性を持たせることができる。
【００５２】
さらに、第２または第３の通知条件が設定されたときに、メールアドレスを特定の相手先に一斉に通知するようにしたため、新メールアドレスを通知したい相手先に一斉に新メールアドレスを通知することができ、メールアドレスが変更されたことを特定の相手先に簡単、かつ、確実に知らせることができる。
また、本実施の形態では、制御部３１のＣＰＵが上述した制御を行うプログラムをＲＡＭに格納しているため、ＣＰＵによって自己の通信端末の所有者が番号情報を通知したい相手先に通知したり、通知したくない相手先に通知しないようにする処理を実行させることができる。
【００５３】
【発明の効果】
本発明によれば、番号情報を第三者に通知する際の通知条件を任意に設定することができるため、自己の通信端末の所有者が番号情報を通知したい相手先に通知したり、通知して区内相手先に通知しないようにすることができる通信端末の番号情報変更通知システム、センター装置、番号情報変更通知方法、番号情報変更通知プログラムおよびプログラム記録媒体を提供することができる。
また、本発明によれば、番号情報を第三者に通知する際の通知条件を第１または第２の通知条件から選択して設定することができ、自己の通信端末の所有者が番号情報を通知する際の通知条件を自由に設定することができる通信端末の番号情報変更通知システム、センター装置、番号情報変更通知方法、番号情報変更通知プログラムおよびプログラム記録媒体を提供することができる。
【００５４】
また、本発明によれば、第三者から番号情報の問い合わせがある度に、センター装置から自己の通信端末の所有者に番号情報を通知したいか否かの判断を仰ぐことができるため、所有者はその都度、変更後の番号情報の通知／非通知を決定することができ、最初に通知／非通知を設定してから通知／非通知を変更したい場合に自由に変更することができる。この結果、番号情報の通知／非通知の融通性を持たせることができる通信端末の番号情報変更通知システム、センター装置、番号情報変更通知方法、番号情報変更通知プログラムおよびプログラム記録媒体を提供することができる。
また、本発明によれば、新メールアドレスを通知したい相手先に一斉に新メールアドレスを通知することができるため、メールアドレスが変更されたことを特定の相手先に簡単、かつ、確実に知らせることができる通信端末の番号情報変更通知システムを提供することができる。
【図面の簡単な説明】
【図１】本発明を実施するための通信端末の番号情報変更通知システムの一構成例を示す概念図である。
【図２】図１のセンター装置の一構成例を示すブロック図である。
【図３】登録端末として機能する端末装置の一構成例を示すブロック図である。
【図４】センター装置の登録動作の一例を示すフローチャートである。
【図５】センター装置の番号情報通知動作の一例を示すフローチャートである。
【符号の説明】
１…インターネット、２…電話回線網、３…センター装置、４…端末装置Ａ（登録端末）、５…端末装置Ｂ（第三者の端末装置）、６…基地局、７…携帯電話機Ａ（登録端末、自己の通信端末）、８…携帯電話機Ｂ（第三者の端末装置）、９…固定電話機Ａ（登録端末）、１０…固定電話機Ｂ１０（第三者の端末装置）、３１…制御部、３２…データ記録部、３３…ネットワークインタフェース、３４…電話回線インタフェース、３５…音声生成部、３６…音声出力部、３７…ＣＤ−ＲＯＭドライブ、３８…ＣＤ−ＲＯＭ、４１…操作部、４２…メモリ、４３…表示部、４４…ＣＰＵ、４５…通信部。
【図１】
2004173129.tif 000003
【図２】
2004173129.tif 000004
【図３】
2004173129.tif 000005
【図４】
2004173129.tif 000006
【図５】
2004173129.tif 000007